(57)【要約】【課題】  微細穴から差し込んだ光ファイバ等による不正タイミング操作を防止すること、及び塵埃による動作不能を極力防止すること、を実現する照光式光インタラプタを提供する。【解決手段】  照光式光インタラプタ２０は、照光用ＬＥＤ２５と、投光素子５１と、投光素子５１からの光を受光する受光素子５２と、投光素子５１と受光素子５２との間に設けられ、受光素子５２による受光を遮断する遮光板１５が出入可能な遮光体挿入部４０とを備える。遮光体挿入部４０は、ケース２１に設けられた不透光壁６０の内側に設けられている。不透光壁６０は、遮光板１５の出入口とは反対側はケース２１の一部分（カバー１７）で塞がれている。これにより、遮光体挿入部４０は遮光板１５の出入口以外の周囲が不透光壁で囲まれていることになる。【選択図】      図６
2008000165.tif 000002
【特許請求の範囲】
【請求項１】
照光用ランプと、投光素子と、この投光素子からの光を受光する受光素子と、投光素子と受光素子との間に設けられ、受光素子による受光を遮断する遮光体が出入可能な遮光体挿入部とを備え、受光の有無により遮光体挿入部での遮光体の有無を検出する信号を出力する照光式光インタラプタにおいて、
遮光体挿入部は、遮光体の出入口以外の周囲が不透光壁で囲まれたことを特徴とする照光式光インタラプタ。
【請求項２】
遮光体挿入部は、当該照光式光インタラプタのケースに設けられた不透光壁の内側に設けられていることを特徴とする請求項１記載の照光式光インタラプタ。
【請求項３】
不透光壁は、管状を呈し、遮光体の出入口とは反対側はケースの一部分で塞がれていることを特徴とする請求項２記載の照光式光インタラプタ。
【請求項４】
照光用ランプは、当該照光式光インタラプタの平面視中央に配置されていることを特徴とする請求項１、請求項２又は請求項３記載の照光式光インタラプタ。
【請求項５】
照光用ランプは、当該照光式光インタラプタの平面視中央に突設されたランプホルダにより外方に突出して設けられていることを特徴とする請求項１、請求項２、請求項３又は請求項４記載の照光式光インタラプタ。
【請求項６】
照光用ランプは、ランプホルダに着脱可能に取り付けられた支持部材によりランプホルダに支持されていることを特徴とする請求項５記載の照光式光インタラプタ。
【請求項７】
支持部材は、一端部が照光用ランプの外周に係合し、他端部がランプホルダの外周に着脱可能に取り付けられるものであることを特徴とする請求項６記載の照光式光インタラプタ。
【請求項８】
照光用ランプは、プリント基板に実装された抜き差し可能なコネクタに取り付けられていることを特徴とする請求項１、請求項２、請求項３、請求項４、請求項５、請求項６又は請求項７記載の照光式光インタラプタ。
【発明の詳細な説明】
【技術分野】
【０００１】
この発明は、スロットマシンやパチンコ等のゲーム機器に用いられる遊技機用操作スイッチ（特に押ボタンスイッチ）等に使用される照光式光インタラプタに関する。
【背景技術】
【０００２】
従来のスロットマシンには、スタートレバースイッチ、ストップボタンスイッチ、マックスベットスイッチ、払い出しスイッチ等が用いられている。このようなスイッチには照光式光インタラプタが使用されている。この照光式光インタラプタは、照光用ランプと、投光素子と、この投光素子からの光を受光する受光素子と、投光素子と受光素子との間に設けられ、受光素子による受光を遮断する遮光体が出入可能な遮光体挿入部とを備え、受光の有無により遮光体挿入部での遮光体の有無を検出する信号を出力するものである。このような光インタラプタが組み込まれた例えば押ボタンスイッチでは、照光用ランプは、スイッチ操作の方向に移動可能な透光性の押ボタン部材の内側に収容され、押ボタン部材を裏面側から照光する。
【０００３】
この照光式光インタラプタは、例えば図１０（斜視図）及び図１１〔要部縦断面図（ａ）、要部横断面図（ｂ）〕に示すような構造である。この照光式光インタラプタ１００は、全体の外観形状がコ字状を呈し、投光部１１０と受光部１２０からなり、プリント基板１４０に実装される。投光部１１０は内部に投光素子（例えばＬＥＤ）１１１と投光スリット１１５を有し、受光部１２０は内部に受光素子（例えばフォトトランジスタやフォトＩＣ）１２１と受光スリット１２５を有する。投光素子１１１及び受光素子１２１はプリント基板１４０に接続されている。
【０００４】
投光部１１０と受光部１２０との間は、受光部１２０による受光を遮断する遮光体（遮光板）１３０が出入可能な遮光体挿入部１３５になっている。この遮光体挿入部１３５に遮光体１３０が進入し、投光部１１０から受光部１２０への光路が遮断されると〔図１１の（ａ）の状態〕、遮光体挿入部１３５に遮光体１３０が存在することになるため、受光の有無に基づいて遮光体挿入部１３５に遮光体１３０が存在するか否かを検出することができる。通常、遮光体１３０はスイッチの押圧操作と連動しており、スイッチを押すことで、遮光体１３０が遮光体挿入部１３５の奥まで進入し光路を遮断するように構成されている。
【０００５】
この種の照光式光インタラプタとしては、検出媒体が通過する通路を有する略コの字型のケースと、ケース内に、通路を挟んで対向するように配置された発光素子と、受光素子及び複数の補助受光素子とからなる受光部材とを備えた検出センサ（フォトインタラプタ）がある（例えば、特許文献１参照）。
【０００６】
また、移送路を挟んで互いに対向配置された２つの発光部と２つの受光部とからなり、２つの受光部の間には可撓性部材からなる不透光の遮蔽体が配設され、遮蔽体が移送路を通過するメダルにより押されると、遮蔽体の先端部が撓んで下流側の受光部への光を遮蔽し、メダルが通過し終わると、遮蔽体の先端部が元の状態に復帰するようにしたフォトインタラプタがある（例えば、特許文献２参照）。
【０００７】
更に、移送路を挟んで互いに対向配置された発光部と受光部からなるフォトインタラプタと、同じく移送路を挟んで互いに対向配置された発光部と受光部からなる別のフォトインタラプタとをメダルの移動方向に並設し、両発光部の発光強度の波長分布を略同一とし、両受光部の受光強度の波長分布を略同一としたものもある（例えば、特許文献３参照）。
【特許文献１】特開２００６−１４１６７２号公報
【特許文献２】特開２００５−３４２３６２号公報
【特許文献３】特開２００５−２７０３７６号公報
【発明の開示】
【発明が解決しようとする課題】
【０００８】
パチンコ店等に設置されたスロットマシンの遊戯においては、色々な不正操作が行われ、店では多大な損害が発生し、その対策に苦慮している。
【０００９】
不正行為の代表的なものとしては、次のような行為がある。スイッチを取り付けたパネルからスイッチの一部に小型ドリルで微細穴を開け、この微細穴から光ファイバをスイッチ内部に差し込む。これとともに、スロットマシンに設けられた電飾などの光（光のオン・オフのタイミング）を光センサで検出し、その信号を増幅スイッチングさせてＬＥＤを発光させ、この光を図１１の（ｂ）のように光ファイバＦで光インタラプタの受光部に導き、タイミング的に入賞させ不正にメダルを取得している。
【００１０】
すなわち、前記照光式光インタラプタでは、遮光体挿入部１３５に遮光体１３０が存在すると、受光が遮断され、遮光体１３０が有ることが検出されるので、スイッチを押した状態（遮光体１３０が遮光体挿入部１３５に進入した状態）で光ファイバＦにより光を受光部１２０と遮光体１３０との隙間から受光部１２０に導くと、遮光体１３０で受光が遮断されているにもかかわらず、遮光体１３０が遮光体挿入部１３５に存在しないという検出信号が出力されてしまう。この状態で、入賞のタイミングを計ってＬＥＤの発光をオフすれば、そのタイミングで遮光体１３０の有りの信号が出力されるので、あたかもその入賞のタイミング時にスイッチを操作したのと同じになり、不正入賞が簡単に行われてしまう。
【００１１】
また、パチンコ店は人の往来が激しく、店内には塵埃が非常に多い。プラスチックからなるスイッチは、操作におけるプラスチック同士の摩擦による静電気や操作する人が着用した衣服の化学繊維や毛織物による静電気を帯電し、空気中の塵埃を吸着・収集する。この塵埃が照光式光インタラプタの遮光体挿入部１３５から投光部１１０の投光スリット１１５や受光部１２０の受光スリット１２５に付着することで、光透過性が悪化し、投光部１１０からの光が受光部１２０に届き難くなり、光インタラプタが動作不能に陥ることが非常に多い。
【００１２】
従って、この発明は、上記の問題点に着目してなされたもので、
［１］微細穴から差し込んだ光ファイバ等による不正タイミング操作を防止すること、
［２］塵埃による動作不能を極力防止すること、
を実現する照光式光インタラプタを提供することを目的とする。
【課題を解決するための手段】
【００１３】
前記目的を達成するために、本発明の照光式光インタラプタは、照光用ランプと、投光素子と、この投光素子からの光を受光する受光素子と、投光素子と受光素子との間に設けられ、受光素子による受光を遮断する遮光体が出入可能な遮光体挿入部とを備え、受光の有無により遮光体挿入部での遮光体の有無を検出する信号を出力するものにおいて、遮光体挿入部は、遮光体の出入口以外の周囲が不透光壁で囲まれたことを特徴とする。
【００１４】
この照光式光インタラプタにおいて、遮光体挿入部は、当該照光式光インタラプタのケースに設けられた不透光壁の内側に設けられていることが好ましい。
【００１５】
また、不透光壁は、管状を呈し、遮光体の出入口とは反対側はケースの一部分で塞がれていることが好ましい。
【００１６】
また、照光用ランプは、当該照光式光インタラプタの平面視中央に配置されていることが好ましい。
【００１７】
また、照光用ランプは、当該照光式光インタラプタの平面視中央に突設されたランプホルダにより外方に突出して設けられていることが好ましい。
【００１８】
また、照光用ランプは、ランプホルダに着脱可能に取り付けられた支持部材によりランプホルダに支持されていることが好ましい。
【００１９】
また、支持部材は、一端部が照光用ランプの外周に係合し、他端部がランプホルダの外周に着脱可能に取り付けられるものであることが好ましい。
【００２０】
また、照光用ランプは、プリント基板に実装された抜き差し可能なコネクタに取り付けられていることが好ましい。
【発明の効果】
【００２１】
本発明によれば、次の効果が得られる。
（イ）遮光体挿入部は、遮光体の出入口以外の周囲が不透光壁で囲まれているので、すなわち遮光体以外は遮光体挿入部に挿入できないようになっているので、遊技機のパネル面の押しボタン部に不正操作用の穴を開けて光ファイバを差し込んでも、その光ファイバを光インタラプタのそばに挿入することができず、光ファイバにより不正光を受光部に照射することができないため、不正タイミング操作ができない。
（ロ）遮光体挿入部は、遮光体の出入口以外の周囲が不透光壁で囲まれているので、遮光体挿入部への塵埃の進入を殆ど防止でき、塵埃による動作不能になることは極少となる。
（ハ）請求項２，３の構成とすれば、上記イ、ロの効果を簡単で安価な構造で得ることが可能となる。
（ニ）請求項４の構成とすれば、例えばスイッチに設けられた透光性の押ボタン部材を裏面側から照光用ランプにより均一に照光することができ、押ボタン部材の照度むらを防止できる。
（ホ）請求項５の構成とすれば、例えばスイッチに設けられた透光性の押ボタン部材の裏面側に近接して配置することができ、押ボタン部材の照度を高めることができる。また、ランプホルダにより照光用ランプが保持されるので、生産過程での搬送などによる照光用ランプの倒れや傾きを防止できる。
（ヘ）請求項６の構成とすれば、外径（３ｍｍ、５ｍｍ等）や発光色（青色、白色、赤色、緑色等）の異なる様々な照光用ランプを容易にランプホルダに取り付けることができるだけでなく、どのような外径の照光用ランプであっても光インタラプタの平面視中央に保持することができる。
（ト）請求項７の構成とすれば、上記ヘの効果を得るための構造が簡素であり、コストも掛からない。
（チ）請求項８の構成とすれば、照光用ランプの製品在庫は１種類のみ準備しておき、受注に応じて外径や発光色を合わせて完成品とすることができるので、在庫管理の適切化により大幅な経費削減が可能となる。
【発明を実施するための最良の形態】
【００２２】
以下、実施の形態により、この発明を更に詳細に説明する。
【００２３】
その実施形態に係る照光式光インタラプタを組み込んだ遊技機用押ボタンスイッチを、図１［一方向における正面図（ａ）、その９０度異なる方向における正面図（ｂ）］、図２（中心部での縦断面図）、及び図３（カバーを取り外した状態での底面図）に示す。また、照光式光インタラプタを、図４〔斜視図（ａ）、平面図（ｂ）〕、及び図５〔一方向における正面図（ａ）、その９０度異なる方向における正面図（ｂ）〕に示す。
【００２４】
この押ボタンスイッチでは、ケース１０の内側にスライド部材１１が図面の上下方向にスライド可能に係合・配置され、このスライド部材１１の上端に上端開口を覆うようにボタン１２が嵌合により取り付けられている。従って、ボタン１２を押すと、スライド部材１１はボタン１２と一体に下方に移動する。
【００２５】
また、バネ１３の一端部がケース１０に係合し、他端部がスライド部材１１に係合している。更に、スライド部材１１の下端にはフック１１ａが設けられ、このフック１１ａが係止する段差１０ａがケース１０の内周壁に形成されている。このため常態では、スライド部材１１はバネ１３により上方向（ケース１０から突出する方向）に付勢され、フック１１ａが段差１０ａに係止した状態（図２に示す状態）が保持される。因みに、スライド部材１１（すなわち、ボタン１２や後記遮光板１５）のストロークｔは、約１．６〜３．０ｍｍに設定されている。
【００２６】
スライド部材１１には後記照光式光インタラプタ２０の遮光体挿入部４０に出入可能な遮光体としての遮光板１５が下方向に延設されている。この遮光板１５の作用については後述する。なお、ケース１０の底部には照光式光インタラプタ２０が着脱可能に取り付けられている。
【００２７】
一方、押ボタンスイッチに組み込まれた照光式光インタラプタ２０は、図４及び図５に示すように、外観形状が全体として円形を呈するケース２１を有し、ケース２１は底部にカバー１７を有する。このケース２１の平面視円形の中央部に照光用ランプとしてのＬＥＤ（発光ダイオード）２５が配置されている。ＬＥＤ２５は、ケース２１の中央部に突設された筒状のＬＥＤホルダ（ランプホルダ）２６により上方向に垂直に保持されるとともに、その頭部が外方に突出している。
【００２８】
ケース２１の外周壁には１対の突起２３が１８０度間隔で設けられており、この突起２３を押ボタンスイッチのケース１０の開口１０ｂに嵌合させることで、照光式光インタラプタ２０を押ボタンスイッチに取り付けることができる。また、照光式光インタラプタ２０が押ボタンスイッチに組み込まれた状態で、ＬＥＤ２５はボタン１２の裏面側に位置し、ボタン１２を裏面側から照明することで、ボタン１２の表示文字等が浮かび上がる。
【００２９】
更に、ＬＥＤ２５のリードフレーム２５ａは筒状のスペーサ２８により保持され、プリント基板３０に接続されている。このプリント基板３０の一方側（表側）にはＬＥＤ２５が実装されるとともに、反対側（裏側）には後記投光素子５１及び受光素子５２等の電子部品と受光素子５２の出力信号を外部に取り出すためのコネクタ３１が実装されている。
【００３０】
この照光式光インタラプタ２０には、図４の（ａ）、（ｂ）から明らかなように、押ボタンスイッチのスライド部材１１の遮光板１５が出入可能な遮光体挿入部４０が設けられている。図２より、押ボタンスイッチの常態（ボタン１２を押していない状態）では、スライド部材１１の遮光板１５が遮光体挿入部４０に幾分進入しているが、投光素子５１と受光素子５２との間の光路は遮断していない。
【００３１】
遮光板１５、遮光体挿入部４０、投光素子５１及び受光素子５２の概略拡大斜視図を図６、その概略拡大縦断面図を図７の（ａ）、概略拡大横断面図を図７の（ｂ）に示す。この実施形態では、投光素子（例えばＬＥＤ）５１と受光素子（例えばフォトトランジスタ）５２が所定間隔を置いて対向配置されている。投光素子５１及び受光素子５２はプリント基板３０に実装されている。
【００３２】
この投光素子５１と受光素子５２との間には、受光素子５２による受光を遮断する遮光板１５が出入可能な遮光体挿入部４０が設けられている。遮光体挿入部４０は、投光素子５１と受光素子５２との間に配置された不透光壁６０の内側に設けられている。不透光壁６０は、管状を呈し、プリント基板３０を貫通するとともに、ケース２１の内部を照光式光インタラプタ２０のカバー１７に向かって下方に延び、下端部が不透光壁の一部を担うカバー１７に接触している。これにより、遮光体挿入部４０は遮光板１５の出入口以外は不透光壁で囲まれたことになる。すなわち、遮光体挿入部４０の出入口とは反対側は不透光のカバー１７により塞がれ、それ以外は不透光壁６０で包囲されている。
【００３３】
また、不透光壁６０には、投光素子５１に対面する投光スリット６１及び受光素子５２に対面する受光スリット６２が形成されている。なお、不透光壁６０は前記のように不透光材からなるケース２１に一体に成型しても、或いは別部品としてケース２１に接着、嵌合等により取り付けてもよい。
【００３４】
このような照光式光インタラプタ２０を組み込んだ押ボタンスイッチにおいて、ボタン１２を押さないときは、スライド部材１１はバネ１３によりボタン１２側に付勢されている。この状態では、図７の（ａ）に示すように、遮光板１５は遮光体挿入部４０に若干進入しているが、投光素子５１と受光素子５２との間の光路は遮断しない。従って、投光素子５１の光は投光スリット６１、遮光体挿入部４０、受光スリット６２を経て、受光素子５２により受光される。これにより、照光式光インタラプタ２０から、遮光体挿入部４０に遮光板１５が無いとの信号が出力される。
【００３５】
ボタン１２を押すと、スライド部材１１はバネ１３の付勢力に抗してプリント基板３０側に移動し、これに伴って遮光板１５が遮光体挿入部４０の奥まで進入する。このとき、遮光板１５は図７の（ａ）に一点鎖線で示す位置まで進入するので、投光素子５１と受光素子５２との間の光路が遮光板１５により遮断され、投光素子５１からの光が受光素子５２で受光されなくなる。これにより、照光式光インタラプタ２０から、遮光体挿入部４０に遮光板１５が有るとの信号が出力される。
【００３６】
この照光式光インタラプタ２０によれば、遮光体挿入部４０において、遮光板１５の出入口には遮光板１５が存在し、出入口とは反対側はカバー１７で閉鎖され、それ以外は不透光壁６０で囲まれている。これにより、遮光板１５以外は遮光体挿入部４０に挿入できないようになっているので、押ボタンスイッチに不正操作用の穴を開けて光ファイバを差し込んでも、その光ファイバを光インタラプタ２０のそばに挿入することができず、光ファイバにより不正光を遮光体挿入部６０、すなわち不透光壁６０の受光スリット６２に照射することができないため、不正タイミング操作が不可能となる。この結果、不正操作防止効果が極めて高い。
【００３７】
これについて付言すると、図１０及び図１１の構造を有する従来の照光式光インタラプタの場合、その構造以外が同じ条件であるとするなら、光ファイバＦを受光部１２０の受光スリット１２５の近くまで侵入させるには、遊技機のパネル面にあるボタン１２とスライド部材１１に穴を開ければよい。これに対して、上記実施形態の照光式光インタラプタ２０の場合は、ボタン１２とスライド部材１１の他に、ケース２１とプリント基板３０の少なくとも４部品に穴を開ける必要があり、遊技機のパネル面から遠く離れた所への小さな穴開け作業は現実的には非常に困難であり、従来に比べて困難さが格段に異なるので、不正操作を有効に防止することができる。
【００３８】
また、遮光体挿入部４０は、遮光板１５の出入口以外が不透光壁６０及びカバー１７により囲まれ、しかも出入口には遮光板１５が幾分進入しているので、遮光体挿入部４０の隙間が極めて少なく、遮光体挿入部４０への塵埃の進入を殆ど防止でき、塵埃が不透光壁６０の投光スリット６１や受光スリット６２に付着し難く、塵埃による動作不能になることは極少となる。
【００３９】
しかも、内側を遮光体挿入部４０とした不透光壁６０をケース２１に設ければよいので、不正操作の防止効果及び塵埃による動作不能の防止効果を簡単で安価な構造で得ることが可能となる。
【００４０】
一方、照光用のＬＥＤ２５は円形状のケース２１の中央部に突設された筒状のＬＥＤホルダ２６により垂直に保持されているので、照光式光インタラプタ２０が押ボタンスイッチに組み込まれた状態では、ＬＥＤ２５がボタン１２の裏面側の中央に位置することで、ＬＥＤ２５によりボタン１２を裏面側から均一に照光することができ、ボタン１２の照度むらを防止できる。
【００４１】
また、照光用のＬＥＤ２５はケース２１の中央部に突設された筒状のＬＥＤホルダ２６により保持されるとともに、頭部が外方に突出しているので、照光式光インタラプタ２０が押ボタンスイッチに組み込まれた状態では、ＬＥＤ２５がボタン１２の裏面に接近することで、ボタン１２の照度を高めることができる。
【００４２】
更に、ボタン１２の照度むらを防止できること、及びボタン１２の照度を向上できることにより、安価なＬＥＤを使用することができるようになり、照光式光インタラプタ２０のコストを抑えることができる。しかも、ＬＥＤホルダ２６によりＬＥＤ２５の垂直状態が保持されるので、生産過程での搬送などによるＬＥＤ２５の倒れや傾きを防止できる。
【００４３】
上記ボタン１２の照度むらを防止し照度を高めることについて付言すると、従来、光インタラプタのケースからＬＥＤの外方への突出度合を高め、垂直突出状態を保つために、ゴム或いはプラスチックからなるＬＥＤスペーサを用いてプリント基板に実装している。このため、ケースからＬＥＤの外方への突出度合を高めるほど、ＬＥＤの垂直状態を保つことが困難になる。加えて、当初ＬＥＤを垂直に取り付けても、生産工程での搬送や半田付け作業において外力が加わるため、どうしてもＬＥＤの垂直状態を維持することが困難である。この結果、生産性が悪化し、照光式光インタラプタを押ボタンスイッチ等に組み込んだときに照度むらが発生し易く、商品価値の低下を招いている。
【００４４】
上記実施形態の照光式光インタラプタ２０では、ＬＥＤ２５はＬＥＤホルダ２６により保持されているが、ＬＥＤホルダ２６には外径の異なる多種多様のＬＥＤを容易に取り付け可能であることが便利であり、次にその機構について説明する。
【００４５】
その機構の一形態を図８（要部拡大縦断面図）に示す。図８では、筒状のＬＥＤホルダ２６の上端部に環状の支持部材７０が取り付けられ、この支持部材７０によりＬＥＤ２５Ａが支持されている。支持部材７０の内周壁には凹部７０ａが形成され、この凹部７０ａに対応してＬＥＤホルダ２６の上端部の外周壁には凸部２６ａが形成され、凹部７０ａに凸部２６ａを嵌合させることで、支持部材７０がＬＥＤホルダ２６に着脱自在に取り付けられる。
【００４６】
この支持部材７０は、ＬＥＤホルダ２６に取り付けた状態では、一端部７０ｂがＬＥＤ２５Ａの外周壁に係合し、他端部７０ｃがＬＥＤホルダ２６の外周壁に係合する。この支持部材７０により、ＬＥＤ２５Ａはケース２１の中央部に垂直状態で保持される。
【００４７】
この機構では支持部材７０がＬＥＤホルダ２６に対して着脱自在であるため、同外径で発光色の異なるＬＥＤの場合は、その支持部材７０を用いてＬＥＤホルダ２６に取り付けることが可能である。
【００４８】
外径の異なるＬＥＤの場合は、図９に示すように行う。図９は、図８のＬＥＤ２５Ａよりも小径のＬＥＤ２５ＢをＬＥＤホルダ２６に取り付ける場合を示している。この場合、予めその小径に対応する支持部材７１を用意しておく。支持部材７１は、上記支持部材７０と同様に、凹部７１ａに凸部２６ａを嵌合させることで、ＬＥＤホルダ２６に着脱自在に取り付けられる。また、支持部材７１の一端部７１ｂがＬＥＤ２５Ｂの外周壁に係合し、他端部７１ｃがＬＥＤホルダ２６の外周壁に係合する。これにより、異なる外径（小径）のＬＥＤ２５Ｂであっても、ＬＥＤ２５Ｂはケース２１の中央部に垂直状態で保持される。
【００４９】
なお、外径の異なるＬＥＤ２５Ｂの場合、スペーサ２８Ｂはそれに応じた長さのものを使用する。
【００５０】
このような機構であれば、外径（３ｍｍ、５ｍｍ等）や発光色（青色、白色、赤色、緑色等）の異なる様々なＬＥＤを、対応の支持部材を用いることでＬＥＤホルダ２６に容易に取り付けることができるだけでなく、どのような外径のＬＥＤであっても光インタラプタ２０の平面視中央に保持することができ、照光式光インタラプタを押ボタンスイッチ等に組み込んだときの照度むらを防止できる。その上、異なる外径のＬＥＤに対応する支持部材を用いればよいので、構造も簡素であり、コストも掛からない。
【００５１】
また、上記実施形態の照光式光インタラプタ２０では、ＬＥＤ２５のリードフレーム２５ａはプリント基板３０に直接接続されているが、プリント基板３０に抜き差し可能なコネクタを実装し、このコネクタにＬＥＤ２５を取り付けてもよい。この場合、コネクタの着脱によりＬＥＤの交換が容易になる。これにより、ＬＥＤの製品在庫は１種類のみ準備しておき、受注に応じて外径や発光色を合わせて完成品とすることができるので、在庫管理の適切化により大幅な経費削減が可能となる。
【図面の簡単な説明】
【００５２】
【図１】実施形態に係る照光式光インタラプタを組み込んだ遊技機用押ボタンスイッチの一方向における正面図（ａ）、及びその９０度異なる方向における正面図（ｂ）である。
【図２】同押ボタンスイッチの中心部での縦断面図である。
【図３】同押ボタンスイッチのカバーを取り外した状態での底面図である。
【図４】同照光式光インタラプタの斜視図（ａ）、及びその平面図（ｂ）である。
【図５】同照光式光インタラプタの一方向における正面図（ａ）、及びその９０度異なる方向における正面図（ｂ）である。
【図６】同押ボタンスイッチにおける遮光板、並びに同照光式光インタラプタにおける遮光体挿入部、投光素子及び受光素子の概略拡大斜視図である。
【図７】同押ボタンスイッチにおける遮光板、並びに同照光式光インタラプタにおける遮光体挿入部、投光素子及び受光素子の概略拡大縦断面図（ａ）、及び概略拡大横断面図（ｂ）である。
【図８】同照光式光インタラプタにおいて、ＬＥＤホルダに対するＬＥＤの取り付け機構の一形態を示す要部拡大縦断面図である。
【図９】同照光式光インタラプタにおいて、ＬＥＤホルダに対するＬＥＤの取り付け機構の別形態を示す要部拡大縦断面図である。
【図１０】従来例に係る照光式光インタラプタの斜視図である。
【図１１】同従来例に係る照光式光インタラプタの概略拡大縦断面図（ａ）、及び概略拡大横断面図（ｂ）である。
【符号の説明】
【００５３】
１０          押ボタンスイッチのケース
１１          スライド部材
１２          ボタン
１５          遮光板（遮光体）
１７          カバー
２０          照光式光インタラプタ
２１          照光式光インタラプタのケース
２５          ＬＥＤ（照光用ランプ）
２６          ＬＥＤホルダ（ランプホルダ）
３０          プリント基板
４０          遮光体挿入部
５１          投光素子
５２          受光素子
６０          不透光壁
６１          投光スリット
６２          受光スリット
７０，７１    支持部材
【図１】
2008000165.tif 000003
【図２】
2008000165.tif 000004
【図３】
2008000165.tif 000005
【図４】
2008000165.tif 000006
【図５】
2008000165.tif 000007
【図６】
2008000165.tif 000008
【図７】
2008000165.tif 000009
【図８】
2008000165.tif 000010
【図９】
2008000165.tif 000011
【図１０】
2008000165.tif 000012
【図１１】
2008000165.tif 000013